(57)【要約】      （修正有）【課題】ボールペンやシャープペンの軸筒端部に動物やキャラクター等を取り付け、子供等の需要者の興味をそそり、その需要を喚起し得る筆記具を提供する。【解決手段】芯２を軸筒１の先端部において出没させるタイプの筆記具であって、軸筒１の先端部３に動物、人物、キャラクターその他の顔、又は、顔及び尾を有する表現対象物の顔部又は尾部が表現され、軸先端部３から突出する芯２が、その突出時において顔部又は尾部の一部となるように形成される。【選択図】図１
0003168272.tif 000002
【実用新案登録請求の範囲】
【請求項１】
芯を軸筒の先端部において出没させるタイプの筆記具であって、前記軸筒の先端部に動物、人物、キャラクターその他の顔、又は、顔及び尾を有する表現対象物の顔部又は尾部が表現され、前記軸先端部において出没する前記芯が、その突出時において前記顔部又は尾部の一部となるように形成されていることを特徴とする筆記具。
【請求項２】
前記軸先端部から突出する前記芯を以て、鼻又は尾を表現した、請求項１に記載の筆記具。
【請求項３】
前記軸筒の少なくとも一個所に突部を形成した、請求項１又は２に記載の筆記具。
【請求項４】
前記突部を前記軸筒の前後２箇所に設け、水平状態にての静置を可能にした、請求項３に記載の筆記具。
【請求項５】
前記突部を以て脚部、耳又は尾を表現した、請求項３又は４に記載の筆記具。
【請求項６】
前記軸筒の周面の摘持時における指当接部に、指形状に対応する浅い凹凸部又は溝部を形成した、請求項１乃至５のいずれかに記載の筆記具。
【請求項７】
前記軸先端部のテーパーを緩やかなものとした、請求項１乃至６のいずれかに記載の筆記具。
【考案の詳細な説明】
【技術分野】
【０００１】
本考案は筆記具、より詳細には、一部が軸筒の後端部又は後端部側面から突出するノックを操作することにより軸筒先端から芯を出没させる、あるいは、分割されている軸筒の一部を他部に対して相対回転させることにより軸筒先端から芯を繰り出すタイプのボールペン、シャープペンシル等の筆記具であって、特にファッション性に富む筆記具に関するものである。
【背景技術】
【０００２】
上記タイプのボールペン、シャープペンシル等の筆記具は、種々のデザインにて広く出回っている。そして、特に子供等の需要者の興味をそそるために、その軸筒にキャラクターや漫画化した動物を表現したものも種々出回っている。しかし、それらは単に、その軸筒にキャラクターや漫画化した動物を表現したものであって、それ以上のものではなく、デザイン上限定されたものであった。
【０００３】
また、近時本出願人は、ノック操作によって芯を出没させるノック式ペンにおいて、一対のノック部を大きく形成して動物やキャラクター等の耳やカエルの目等に見立て、軸筒の上端部に当該動物やキャラクター等の顔をあしらったデザインの製品を開発しており（特許文献１：特開２０１０−１２７４３号公報、特許文献２：特開２０１０−１２７４３号公報））、耳ノックペンと称されて市場において好評を博している。
【０００４】
しかし、この耳ノックペンの場合における動物やキャラクター等の表現は、主にノックの存する軸筒の後端部側に施されていて、軸筒の全体に亘るものではないため、やはりデザイン上限定されたものであった。
【先行技術文献】
【特許文献】
【０００５】
【特許文献１】特開２０１０−１２７４３号公報
【特許文献２】特開２０１０−０００００号公報
【考案の概要】
【考案が解決しようとする課題】
【０００６】
上述したように、従来の軸筒に動物やキャラクター等を表現する筆記具の場合は、それらの表現方法が限定されていたため、需要者の興味をそそるにも限界があった。そこで本考案は、従来にない態様にて動物やキャラクター等の表現をすることを可能にし、以て、子供等の需要者の興味をそそり、その需要を喚起し得る筆記具を提供することを課題とする。
【課題を解決するための手段】
【０００７】
上記課題を解決するための請求項１に記載の考案は、芯を軸筒の先端部において出没させるタイプの筆記具であって、前記軸筒の先端部に動物、人物、キャラクターその他の顔、又は、顔及び尾を有する表現対象物の顔部又は尾部が表現され、前記軸先端部において出没する前記芯が、その突出時において前記顔部又は尾部の一部となるように形成されていることを特徴とする筆記具である。
【０００８】
一実施形態においては、前記軸先端部から突出する前記芯を以て、鼻又は尾が表現される。
【０００９】
また、一実施形態においては、前記軸筒の少なくとも一個所に突部が形成される。前記突部は、例えば、前記軸筒の前後２箇所に設けられる。また、前記突部を以て脚部、耳又は尾が表現される。
【００１０】
更に一実施形態においては、前記軸筒の周面の摘持時における指当接部に、指形状に対応する浅い凹凸部又は溝部が形成される。また、印刷の容易化のために、前記軸先端部のテーパーは緩やかなものであることが望ましい。
【考案の効果】
【００１１】
上述したように本考案は、芯を軸筒の先端部において出没させるタイプの筆記具であって、前記軸筒の先端部に動物、人物、キャラクターその他の顔、又は、顔及び尾を有する表現対象物の顔部又は尾部が表現され、前記軸先端部において出没する前記芯が、その突出時において前記顔部又は尾部の一部となるように形成されているので、従来にない子供等の興味をそそる態様にて動物やキャラクター等の表現をすることができ、趣向性及び変化に富んだ筆記具となるため、単なる筆記目的としてだけでなく、ファッション的要素を持った興趣的アイテムとして広く受け入れられる効果がある。
【００１２】
また、請求項３乃至５に係る考案においては、突部が設けられることにより、全体デザインに変化を持たせることができ、また、突部によって筆記具の転動が防止され、水平状態に静置して収納・保管することを可能ならしめる効果がある。
【図面の簡単な説明】
【００１３】
【図１】本考案の一実施形態の正面図である。
【図２】本考案の一実施形態の側面図である。
【図３】本考案の他の実施形態の正面図である。
【考案を実施するための形態】
【００１４】
本考案を実施するための好ましい形態について、添付図面に依拠して説明する。本考案に係る筆記具は、一部が軸筒１の後端部又は側部から突出するノックを操作することにより、あるいは、分割されている軸筒１の一部を他部との間で相対回転させることにより、芯２を軸筒１の先端部において出没させるタイプのボールペン、シャープペンシル等の筆記具である。
【００１５】
例えば、軸筒１は、先端部３、中間部４及び後端部５の３つのピースを連結して構成するものとされ、軸筒１の少なくとも一個所に突部６が形成される。突部６は、例えば、脚部、耳部、尾部等を表わすように形成される。特に脚部を表わす場合には、突部６は一対の突出部で構成され、軸筒１の前後２箇所に配設される。このようにした場合は、軸筒１の転動が防止されて水平状態が保持され、その状態での収納・保管が可能となる（図１参照）。
【００１６】
図１に示す実施形態においては、先端部３に、動物、人物、キャラクターその他の顔を
有する表現対象物の顔部が表現され、先端部３から突出する芯２が、その突出時において顔部の一部、即ち、鼻を表わすようにデザインされている。また、その場合中間部４は、当該表現対象物の胴部を表わすようにデザインされ（例えば、色分けされ）、後端部５には、その尾部を表わすように突部６が設けられ、あるいは、色分け等によるデザインが施される。なお、先端部３への印刷を容易化するために、その部分のテーパー度合いを緩やかなものとすることが好ましい。
【００１７】
図３に示す実施形態では、上記実施形態とは逆に、先端部３に動物、キャラクターその他の尾を有する表現対象物の尾部が表現され、先端部３から突出する芯２を以て、尾を表現するようにデザインされている。そして、後端部５の方に当該表現対象物の顔部が表現され、そこに耳を表わす突部６と脚部を表わす突部６とが形成されている。この場合も中間部４には、当該表現対象物の胴部が表現される。
【００１８】
なお、軸筒１を、先端部３、中間部４、後端部５等の複数のピースを連結して構成するようにした場合、互いに緊締状態にした際に、各部のデザインがずれないように配慮する必要がある。
【００１９】
通例、軸筒１の周面は滑らかな曲面であるが、周面の摘持時における指当接部に、指形状に対応する浅い凹凸部又は溝部が形成されることもある。この凹凸部又は溝部は、筆記具摘持時における滑り止めのために、あるいは、子供に筆記具の正しい持ち方を覚えさせるために利用される。符号７はクリップであり、必要に応じて設置される。
【００２０】
本考案に係る筆記具の筆記具本来の使用法は、一般のものと特に変わりはなく、ノック式のものであれば、ノックの操作により芯２を出して筆記に供し、筆記終了後は、やはりノックの操作により芯２を引っ込める。
【００２１】
本考案に係る筆記具の場合は、図示した実施形態のように、先端部３に動物やキャラクター等の顔部（又は尾部）が表現され、先端部３から突出する芯２を以て顔部（又は尾部）の一部、即ち、鼻（又は尾）となるようにデザインされ、換言すれば、立体的表現がなされるため、従来にない興味をそそる形態の筆記具となる。また、中間部４を当該動物やキャラクター等の胴部を表わすようにデザインし、後端部５を当該動物やキャラクター等の尾部（又は顔部）を表わすようにデザインすることができるので、筆記具全体を統一あるデザインとなすことができる。
【００２２】
かくして本考案に係る筆記具は、単なる筆記目的としてだけでなく、ファッション的要素を持った興趣的アイテムとなり、大いに需要を喚起し得るものとなる。
【００２３】
この考案をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２４】
１      軸筒
２      芯
３      先端部
４      中間部
５      後端部    
６      突部
７      クリップ
【図１】
0003168272.tif 000003
【図２】
0003168272.tif 000004
【図３】
0003168272.tif 000005